(57)【要約】【課題】段積み可能状態とスタッキング可能状態とを極めて簡易な構成で、極めて簡易な操作で可変することができ、段積み時には荷物を良好に運搬できることは勿論、スタッキング時には真上方向にスタッキングして平面から見てコンテナ一台分の面積に多数のコンテナをスタッキングして秀れた収納性，運搬性を発揮することができる画期的なコンテナを提供すること。【解決手段】柱部２を底板部１に対して垂直方向ではなく、この柱部２を立設した底板部１の縁方向に傾斜した状態で立設し、この柱部２の上部外面部に前記枠体３を架設することで前記上部開口部５を形成し、この上部開口部５は前記底板部１よりも大きく設定し、前記枠体３には、コンテナ本体４を段積み及びスタッキングし得る支承部材７を設けたコンテナ。【選択図】        図１
2004338776.tif 000002
【特許請求の範囲】
【請求項１】
収納物を載置収納する底板部と、この底板部に立設した柱部と、この柱部に架設され上部開口部を形成する枠体とから成るコンテナであって、前記柱部を底板部に対して垂直方向ではなく、この柱部を立設した底板部の縁方向に傾斜した状態で立設し、この柱部の上部外面部に前記枠体を架設することで前記上部開口部を形成し、この上部開口部は前記底板部よりも大きく設定し、前記枠体には、コンテナ本体の上方に配される積み上げる別の前記コンテナ本体の底板部を支承する支承部材を前記上部開口部に対して退避自在に設け、この支承部材を前記コンテナ本体の内方に配設した際に前記コンテナ本体を段積みすることができ、前記支承部材をコンテナ本体の外方に移動退避若しくは取り外し退避した際に上部開口部に前記コンテナ本体の上方に配される積み上げる別の前記コンテナ本体を挿入して前記コンテナ本体同志をスタッキングすることができるように前記支承部材を構成したことを特徴とするコンテナ。
【請求項２】
前記柱部を、底板部の角部と枠体の角部との間に立設したのではなく、少なくとも底板部の角部を除く部位若しくは枠体の角部を除く部位と、枠体の角部若しくは底板部の角部又は枠体の角部を除く部位若しくは底板部の角部を除く部位との間に立設したことを特徴とする請求項１記載のコンテナ。
【請求項３】
前記柱部を、底板部に対してＶ字状若しくは逆Ｖ字状若しくはハ字状若しくは逆ハ字状に立設したことを特徴とする請求項１，２のいずれか１項に記載のコンテナ。
【請求項４】
前記支承部材を前記上部開口部に対して回動自在に設け、この支承部材を回動操作してコンテナ本体の内方に配設した際、前記支承部材を前記上記開口部内に配設してこの支承部材上に前記積み上げる別のコンテナ本体の底板部を載置して段積みすることができ、前記支承部材を回動操作してコンテナ本体の外方に移動退避した際、前記支承部材を前記上部開口部から退避させてこの上部開口部に前記積み上げる別のコンテナ本体を挿入して収納しスタッキングし得るように構成したことを特徴とする請求項１〜３のいずれか１項に記載のコンテナ。
【請求項５】
前記支承部材には、前記コンテナ本体同志を段積みした際に、前記別のコンテナ本体の底板部に嵌合し、前記コンテナ本体同志の位置ずれを防止する位置ずれ防止機構を設けたことを特徴とする請求項１〜４のいずれか１項に記載のコンテナ。
【発明の詳細な説明】
【０００１】
【発明の属する技術分野】
本発明は、段積み及びスタッキング可能なコンテナに関するものである。
【０００２】
【従来の技術及び発明が解決しようとする課題】
例えば商品を収納した段ボール等の荷物をトラックの荷台に何段にも段積みして運搬できるようにするためのコンテナとして、段積み及びスタッキング可能なコンテナ（例えば、特開２００１−２４００５６  発明の名称：パレットコンテナ）がある。
【０００３】
このコンテナは、荷物を載置収納する方形状の底板部の四隅部に柱を立設し、この柱の上端部に上部開口部を形成する枠体を、前面部の一辺を除いて架設した構成となっている（尚、枠体を有しない側がコンテナ前面部となる。）。
【０００４】
また、前記枠体のうち、対向する枠体（左右両側部の枠体）は残りの枠体（背面部の枠体）よりもやや高い位置に配設した構成としている。
【０００５】
また、コンテナの底板部下面には、前記対向する枠体上に載置し得る足部を設けた構成としている。
【０００６】
そして、対向する枠体に、上方に配されるコンテナの足部を載置嵌合することで、コンテナを段積みし得るように構成している。
【０００７】
また、前記柱は、コンテナの背面左右部に立設した柱同志の間隔を、コンテナの前面左右部に立設した柱同志の間隔よりも狭い間隔に設定した構成としている。
【０００８】
即ち、背面左右部の柱は、底板部の外縁部にして背面側左右の角部から中央方向にやや互いに近接した位置に立設し、前面左右部の柱は、底板部の外縁部にして側面最前部位に立設した構成としている。
【０００９】
また、前記枠体は、底板部の外縁に沿うように前記柱の上端部に付設した構成となっている。
【００１０】
そして、一方のコンテナ内に、スタッキングしたい他方のコンテナの底板部を収納し、前記一方のコンテナの背面左右部に立設した夫々の柱の前方に、前記他方のコンテナの背面左右部に立設された夫々の柱を並行状態に配置し、これに伴い、一方のコンテナの前面左右部に立設した夫々の柱の前方に、前記他方のコンテナの前面左右部に立設した夫々の柱を並行状態に配置することで、これらコンテナ同志をスタッキングする構成としている。
【００１１】
このコンテナによれば、コンテナを段積みした場合には、この段積みしたコンテナ内に荷物を収納した状態で前記荷物を運搬できるため、荷物をコンテナ等を用いず高く積み上げる等して下方の荷物に過度の負担がかかってしまうことを回避でき、また、荷物をコンテナ等を用いず高く積み上げてバランスの悪い状態で前記荷物を運搬することを回避することができる。
【００１２】
また、コンテナ内に収納した荷物をトラック等で運搬した後には、コンテナをスタッキングしてこれらコンテナをなるべくまとまった状態とすることができる。
【００１３】
ところで、前述のコンテナをスタッキングすると、前述した構成上、コンテナを積み上げれば積み上げるほど、コンテナが前方に向かって段階的に突出していく。
【００１４】
そのため、段積みを行わない際、即ち、不使用時にコンテナをスタッキングして倉庫等に収納しておく際や、トラック等で荷物を運搬後に、これらコンテナをスタッキングしてトラックの荷台に載せて持って帰ってくる際等に、収納（載置）スペースを取ってしまうという問題点がある。
【００１５】
また、スタッキングしたコンテナは、上方にいくにつれて前方に向けて突出した状態となるため、前方向に力が加わった際等に、スタッキングしたコンテナが前に倒れてしまい兼ねない懸念も有する。
【００１６】
本発明は、上記種々の問題点に鑑み、鋭意検討，試作を繰り返した末、これを解決したもので、段積み可能状態とスタッキング可能状態とを極めて簡易な構成で、極めて簡易な操作で可変することができ、段積み時には荷物を良好に運搬できることは勿論、スタッキング時には真上方向にスタッキングして平面から見てコンテナ一台分の面積に多数のコンテナをスタッキングすることができ、よって、秀れた収納性，運搬性を発揮することができる画期的なコンテナを提供することを目的としている。
【００１７】
【課題を解決するための手段】
添付図面を参照して本発明の要旨を説明する。
【００１８】
収納物Ａを載置収納する底板部１と、この底板部１に立設した柱部２と、この柱部２に架設され上部開口部５を形成する枠体３とから成るコンテナであって、前記柱部２を底板部１に対して垂直方向ではなく、この柱部２を立設した底板部１の縁方向に傾斜した状態で立設し、この柱部２の上部外面部に前記枠体３を架設することで前記上部開口部５を形成し、この上部開口部５は前記底板部１よりも大きく設定し、前記枠体３には、コンテナ本体４の上方に配される積み上げる別の前記コンテナ本体４の底板部１を支承する支承部材７を前記上部開口部５に対して退避自在に設け、この支承部材７を前記コンテナ本体４の内方に配設した際に前記コンテナ本体４を段積みすることができ、前記支承部材７をコンテナ本体４の外方に移動退避若しくは取り外し退避した際に上部開口部５に前記コンテナ本体４の上方に配される積み上げる別の前記コンテナ本体４を挿入して前記コンテナ本体４同志をスタッキングすることができるように前記支承部材７を構成したことを特徴とするコンテナに係るものである。
【００１９】
また、前記柱部２を、底板部１の角部と枠体３の角部との間に立設したのではなく、少なくとも底板部１の角部を除く部位若しくは枠体３の角部を除く部位と、枠体３の角部若しくは底板部１の角部又は枠体３の角部を除く部位若しくは底板部１の角部を除く部位との間に立設したことを特徴とする請求項１記載のコンテナに係るものである。
【００２０】
また、前記柱部２を、底板部１に対してＶ字状若しくは逆Ｖ字状若しくはハ字状若しくは逆ハ字状に立設したことを特徴とする請求項１，２のいずれか１項に記載のコンテナに係るものである。
【００２１】
また、前記支承部材７を前記上部開口部５に対して回動自在に設け、この支承部材７を回動操作してコンテナ本体４の内方に配設した際、前記支承部材７を前記上記開口部５内に配設してこの支承部材７上に前記積み上げる別のコンテナ本体４の底板部１を載置して段積みすることができ、前記支承部材７を回動操作してコンテナ本体４の外方に移動退避した際、前記支承部材７を前記上部開口部５から退避させてこの上部開口部５に前記積み上げる別のコンテナ本体４を挿入して収納しスタッキングし得るように構成したことを特徴とする請求項１〜３のいずれか１項に記載のコンテナに係るものである。
【００２２】
また、前記支承部材７には、前記コンテナ本体４同志を段積みした際に、前記別のコンテナ本体４の底板部１に嵌合し、前記コンテナ本体４同志の位置ずれを防止する位置ずれ防止機構９を設けたことを特徴とする請求項１〜４のいずれか１項に記載のコンテナに係るものである。
【００２３】
【発明の実施の形態】
好適と考える本発明の実施の形態（発明をどのように実施するか）を、図面に基づいてその作用効果を示して簡単に説明する。
【００２４】
コンテナ本体４を構成する枠体３に設けた支承部材７を、前記コンテナ本体４の内方に配設すると、この支承部材７は平面から見て上部開口部５内に突出した状態となる。
【００２５】
従って、この上部開口部５に突出した状態となった支承部材７上に、前記コンテナ本体４の上方に配される積み上げる別のコンテナ本体４の底板部１を支承できることとなり、よって、これらコンテナ同志を段積みすることができる。
【００２６】
一方、前記支承部材７を、コンテナ本体４の外方に移動退避若しくは取り外し退避すると、前記上部開口部５から支承部材７が退避することとなり、上部開口部５は底板部１よりも大きく設定されていることから、上部開口部５に前記コンテナ本体４の上方に配される積み上げる別のコンテナ本体４の底板部１を挿入できることとなる。
【００２７】
従って、前記コンテナ本体４の上部開口部５に、前記コンテナ本体４の上方に配される積み上げる別のコンテナ本体４を挿入すると、前記別のコンテナ本体４の底板部１は下方のコンテナ本体４内に収納される。
【００２８】
この際、コンテナ本体４を構成する柱部２は、底板部１に対して垂直方向に立設したのではなく、この柱部２を立設した底板部１の縁方向に傾斜した状態で立設したことで（即ち、例えば、少なくとも底板部１の角部を除く部位若しくは枠体３の角部を除く部位と、枠体３の角部若しくは底板部１の角部又は枠体３の角部を除く部位若しくは底板部１の角部を除く部位との間に立設したことで）、コンテナ本体４をスタッキングする際に、コンテナ本体４の柱部２同志が前記スタッキングを阻止する状態で干渉せず、コンテナ本体４の傾斜する柱部２と前記積み上げる別のコンテナ本体４の傾斜する柱部２とが並設状態となることで、コンテナ本体４同志をスタッキングできることとなる。
【００２９】
例えば、柱部２を底板部１に対してＶ字状若しくは逆ハ字状に立設すると、このＶ字状若しくは逆ハ字状を形成する柱部２の上部の間隔は、前記下部の間隔よりも大きくなることとなり、スタッキングする際には、この間隔の大きな柱部２上部に前記柱部２の下部をいわば挿入するようにして前記コンテナ本体４の柱部２と別のコンテナ本体４の柱部２とを並設状態にしてコンテナ本体４同志をスタッキングできることとなる。
【００３０】
また、例えば、柱部２を底板部１に対して逆Ｖ字状若しくはハ字状に立設すると、この逆Ｖ字状若しくはハ字状を形成する柱部２の上部の間隔は、前記下部の間隔よりも小さくなることとなり、スタッキングする際には、この間隔の小さな柱部２上部に、間隔が大きな柱部２下部を、いわば挿入するようにして前記コンテナ本体４の柱部２と前記積み上げる別の柱部２とを並設状態にし、これにより、コンテナ本体４同志をスタッキングできることとなる。
【００３１】
従って、本発明のコンテナは、何段にも段積みして荷物を収納し良好に運搬できることは勿論、スタッキングする際には、積み重ねる毎にコンテナ本体が例えば前方に突出してしまうような事態は生じず、コンテナ一台分の面積で何段にも上方にスタッキングすることができる、運搬性、収納性、実用性に秀れた画期的なコンテナとなる。
【００３２】
また、例えば、前記支承部材７を前記上部開口部５に対して回動自在に設ければ、支承部材７を単に回動操作するだけで、段積み可能状態及びスタッキング可能状態を可変できることとなるなど、一層実用的となる。
また、例えば、前記支承部材７には、前記コンテナ本体４同志を段積みした際に、前記別のコンテナ本体４の底板部１に嵌合し、前記コンテナ本体４同志の位置ずれを防止する位置ずれ防止機構９を設ければ、コンテナ本体４を段積みし収納物を収納して運搬する際に、多少の揺れや衝撃を受けてもコンテナ本体４の段積み状態を確固に保持して秀れた運搬性を発揮できることとなるなど、一層実用的となる。
【００３３】
【実施例】
図面は本発明の一実施例を図示したものであり、以下に説明する。
【００３４】
本実施例は、収納物Ａを収納載置する底板部１と、この底板部１の縁方向に傾斜して立設した柱部２と、この柱部２に架設され上部開口部５を形成する枠体３と、この枠体３に、前記上部開口部５に対して退避自在に設けた支承部材７とから成るコンテナに関するものである。
【００３５】
底板部１は、平面視方形状の底枠体１Ａと、この底枠体１Ａ内に格子状に配設され前記底枠体１Ａを補強する補強材１Ｂとから成る構成としている。これにより、底板部１の耐荷重性を高めている。
【００３６】
尚、本実施例では、図１に示すように、補強材１Ｂを底枠体１Ａの上下左右方向に夫々二本配設した構成としたが、これよりも多く配設しても良いし、少なくても良い。
【００３７】
また、底板部１上に載置収納する荷物の状態に応じて、前記底板部１上に金網を配設しても良い。
【００３８】
前記柱部２を底板部１に対して垂直方向ではなく、この柱部２を立設した底板部１の縁方向に傾斜した状態で立設した構成としている。
【００３９】
具体的には、前記柱部２を、底板部１の角部と枠体３の角部との間に設けたのではく、少なくとも底板部１の角部を除く部位若しくは枠体３の角部を除く部位と、枠体３の角部若しくは底板部１の角部又は枠体３の角部を除く部位若しくは底板部１の角部を除く部位との間に設けた構成としている。
【００４０】
更に具体的には、柱部２を、底板部１に対してＶ字状若しくは逆Ｖ字状若しくはハ字状若しくは逆ハ字状に立設した構成としている。
【００４１】
本実施例では、前記柱部２を、コンテナ本体４の左右側面部においてはＶ字状、コンテナ本体４の背面部においては逆ハ字状、コンテナ本体４の四角部においては逆Ｖ字状に立設した構成としている。
【００４２】
具体的には、コンテナ本体４の下部左右両側部に位置する底枠体１Ａの外面中央部に、二本の柱部２の下端部を夫々近接した状態で付設し、これら柱部２の上部においては、互いの間隔を下端部よりも大きく設定して前記Ｖ字状の柱部２を設けた構成としている。
【００４３】
また、コンテナ本体４の背面部に位置する底枠体１Ａには、この底枠体１Ａの中央部近傍にして前記中央部を介して所定長さ離れた部位に、二本の柱部２の下端部を付設し、これら柱部２の上部においては、互いの間隔を下端部よりも大きく設定して前記Ｖ字状の柱部２を設けた構成としている。
【００４４】
また、底枠体１Ａの各々の角部近傍にしてこれら角部を介して所定長さ離れた外面位置には、各々二本の柱部２の下端部を付設し、上部においてこれら二本の柱部２を近接することで前記逆Ｖ字状の柱部２を設けた構成としている。
【００４５】
また、前記逆Ｖ字状の柱部２の上端部は、底板部１の角部上方に位置し得るように構成している。
【００４６】
これにより、コンテナ本体４をスタッキングする際には、Ｖ字状若しくは逆ハ字状に設けた柱部２の上部から、前記コンテナ本体４の上方にスタッキングされる別のコンテナ本体４のＶ字状若しくは逆ハ字状に設けた柱部２の下部を挿入していき、前記各々の柱部２を並設状態とすることができ、一方、逆Ｖ字状の柱部２の上部を、前記コンテナ本体４の上方にスタッキングされる別のコンテナ本体４の逆Ｖ字状の柱部２の下部に挿入していき、前記各々の柱部２を並設状態とすることができ、よって、コンテナ本体４同志をスタッキングすることができる。
【００４７】
前記柱部２の上部外面部に前記枠体３を架設して前記上部開口部５を形成した構成としている。
【００４８】
具体的には、図１に示すように、前記Ｖ字状の柱部２，逆ハ字状の柱部２及び前記逆Ｖ字状の柱部２の上端外面部に、コンテナ本体４の前面部を除いて枠体３を付設した構成としている。
【００４９】
これにより、底板部１の縁部外面部に柱部２の下端部を付設し、この柱部２の上部外面部に枠体３を付設することで、枠体３が形成し得る上部開口部５の開口面積が前記底板部１の面積よりも大きく設定されることとなる。
【００５０】
また、コンテナ本体４の上部左右両側部に配設された枠体３の前端部には、支承部材７を上部開口部５内に配設した際に、この支承部材７の前端部を支承する支承片８を付設した構成としている。
【００５１】
前記枠体３には、コンテナ本体４の上方に配される積み上げる別の前記コンテナ本体４の底板部１を支承する支承部材７を上部開口部５に対して退避自在に設け、この支承部材７を前記コンテナ本体４の内方に配設した際に前記コンテナ本体４を段積みすることができ、前記支承部材７を前記コンテナ本体４の外方に移動退避若しくは取り外し退避した際に、前記コンテナ本体４の上方に配される積み上げる別の前記コンテナ本体４を上部開口部５に挿入し前記コンテナ本体４の傾斜する柱部２と前記コンテナ本体４の上方に配される積み上げる前記別のコンテナ本体４の傾斜する柱部２とを並設状態として前記コンテナ本体４同志をスタッキングできるように前記支承部材７を構成している。
【００５２】
具体的には、図１，図４，図５に示すように、コンテナ本体４の上部左右両側部に位置する枠体３に前記支承部材７を回動自在に付設し、この支承部材７を回動操作してコンテナ本体４の内方に配設した際、前記支承部材７を前記上記開口部５内に配設してこの支承部材７上に前記積み上げる別のコンテナ本体４の底板部１を載置して段積みすることができ、前記支承部材７を回動操作してコンテナ本体４の外方に移動した際、前記支承部材７を前記上部開口部５から退避させてこの上部開口部５の開口面積を底板部１よりも大きい状態としてこの上部開口部５に前記積み上げる別のコンテナ本体４を挿入してスタッキングできるように構成している。
【００５３】
更に具体的には、支承部材７として長板状の板体を採用し、この板体をコンテナ本体４の上部左右側部に位置する枠体３上面部に蝶番などの回動手段１１を介して回動自在に設け、支承部材７をコンテナ本体４の内方に向けて枠体３に対して回動した際には、図１，図２，図４に示すように、支承部材７はこの支承部材７を付設した枠体３と、前記支承片８と、コンテナ本体４の背面部に配設された枠体３の端部と、柱部２の上端部によって略水平な状態で上部開口部５内で支承され、支承部材７をコンテナ本体４の外方に向けて上部開口部５に対して回動退避した際には、図３〜図５に示すように、支承部材７はコンテナ本体４の側面上方部位に配設され、これにより、上部開口部５から支承部材７を退避し得るように構成している。
【００５４】
これにより、コンテナ本体４を段積みする際、コンテナ本体４の上方に配される積み上げる別のコンテナ本体４を支承する支承部材７を複数箇所で支承保持できるため、上方に段積みされる前記積み上げる別のコンテナ本体４内に重量のある荷物を収納しても秀れた支承力により前記積み上げる別のコンテナ本体４を安定して支承することができ、また、単に支承部材７をコンテナ本体４の外方に向けて回動退避するだけで、前述のように、コンテナ本体４を簡単にスタッキング可能状態にすることができる。
【００５５】
前記支承部材７には、段積みする際に、前記積み上げる別のコンテナ本体４の底板部１に嵌合し、前記コンテナ本体４同志の位置ずれを防止する位置ずれ防止機構９を設けた構成としている。
【００５６】
具体的には、コンテナ本体４の底板部１の下部に足部１０を設け、支承部材７の上面部に、前記足部１０に嵌合し得る形状の係合部７Ａを設けた構成としている。
【００５７】
更に具体的には、足部１０の下部に凹部１０Ａを設け、支承部材７の上面部に、前記凹部１０Ａに嵌合し得る前記係合部７Ａとなる凸部７Ａを設けた構成としている。
【００５８】
本実施例では、足部１０の下部に断面三角形の切欠部位を設けて前記凹部１０Ａを構成し、支承部材７のコンテナ本体４中央寄りの上面部に、断面三角形の突出条部位を設けて前記凸部７Ａを構成している。
【００５９】
また、コンテナ本体４の背面側に位置する支承部材７の端部には、上方に配され積み上げられる別のコンテナ本体４の足部１０を係止するためのストッパー７Ｂを設けた構成としている。
【００６０】
具体的には、本実施例では、図１に示すように、前記ストッパー７Ｂは、前記支承部材７の端部に板材を突出状態で付設することで形成した構成としている。
【００６１】
これにより、コンテナ本体４を段積みする際に、上方に配される積み上げられる別のコンテナ本体４の足部１０をこのストッパー７Ｂに当接係止しつつ段積みしていくことで、コンテナ本体４を位置ずれせずに上方に略真っすぐに簡単に積み上げていくことができる。
【００６２】
尚、本発明は、本実施例に限られるものではなく、各構成用件の具体的構成は適宜設計し得るものである。
【００６３】
【発明の効果】
本発明は上述のように構成したから、何段にも段積みして荷物を収納し、前記荷物を良好に運搬できることは勿論、スタッキングする際には、何台積み重ねしても、積み重ねる毎にコンテナ本体が例えば前方に突出してしまうような事態は生じず、コンテナ一台分の面積で何段にもスタッキングすることができる、運搬性、収納性、実用性に秀れた画期的なコンテナとなる。
【００６４】
また、請求項２，３記載の発明においては、上記作用効果を確実に発揮することができる実用性に秀れた画期的なコンテナとなる。
【００６５】
また、請求項４記載の発明においては、調整部材を単に回動操作するだけで、段積み可能状態及びスタッキング可能状態を可変することができる極めて実用性に秀れた画期的なコンテナとなる。
【００６６】
また、請求項５記載の発明においては、コンテナ本体を段積みし収納物を収納して運搬する際に、多少の揺れや衝撃を受けてもコンテナ本体の段積み状態を確固に保持して秀れた運搬性を発揮することができる極めて実用性に秀れた画期的なコンテナとなる。
【図面の簡単な説明】
【図１】本実施例の段積み可能状態を示す説明斜視図である。
【図２】本実施例の段積みした状態を示す説明正面図である。
【図３】本実施例のスタッキングした状態を示す説明正面図である。
【図４】本実施例の支承部材の回動作動を示す拡大説明正面図である。
【図５】本実施例の支承部材を上部開口部に対して退避した状態を示す説明斜視図である。
【符号の説明】
１  底板部
２  柱部
３  枠体
４  コンテナ本体
５  上部開口部
７  支承部材
９  位置ずれ防止機能
Ａ  収納物
【図１】
2004338776.tif 000003
【図２】
2004338776.tif 000004
【図３】
2004338776.tif 000005
【図４】
2004338776.tif 000006
【図５】
2004338776.tif 000007